(57)【要約】【課題】物品を壁面に十分な強度で簡便に取付けることのできる支持具を提供する。【解決手段】物品（被支持物）に挿入される受部材１１を有する本体部１０と、壁面に刺し入れられる３つのピン部材２１を有する脚部２０と、から支持具１が構成される。ここで、３つのピン部材２１は、受部材１１の基底面１１ａにその軸心Ｌを中心に三角配置された３点のそれぞれから、軸心Ｌに対して外向きに凸状に形成された一面を向けて、軸心Ｌに平行な方向に突出する。係る構成の支持具１を用いることで、物品（被支持物）を十分な強度で簡便に壁面上に取付けること、さらに簡便且つ壁面に大きな損傷を残すことなく取り外すことが可能となる。【選択図】図１
0003184742.tif 000002
【実用新案登録請求の範囲】
【請求項１】
被支持物を支持面上に支持する支持具であって、
被支持物に挿入される受部材を有する本体部と、
前記本体部の基底面に前記受部材の軸心を内に含んで三角配置された３点のそれぞれから、前記軸心に平行な方向に突出して、前記支持面に刺し入れられる３つのピン部材を有する脚部と、
を備える支持具。
【請求項２】
前記ピン部材は、前記軸心に対して外向きに凸状に形成された一面を向けたものであることを特徴とする、請求項１に記載の支持具。
【請求項３】
前記凸状に形成された一面の凸状部分は、円弧状であることを特徴とする、請求項２に記載の支持具。
【請求項４】
前記凸状に形成された一面の凸状部分は、前記軸心と逆の側に角部を有するＶ字状であることを特徴とする、請求項２に記載の支持具。
【請求項５】
前記３つのピン部材は、それぞれの基端に接続する接続部を前記受部材に埋設することで該受部材に固定されることを特徴とする請求項２〜４のいずれか１項に記載の支持具。
【請求項６】
前記３つのピン部材は、前記接続部と該接続部からそれぞれ異なる向きに延伸する３つの延伸部とを一体的に形成し、該３つの延伸部のそれぞれについて、先端を含む少なくとも一部を同じ一面側に凸状に形成し、前記一面に対する裏面側に折曲することで形成されることを特徴とする請求項５に記載の支持具。
【請求項７】
前記本体部は、前記受部材を有する第一の部分と前記基底面を有する第二の部分とに分割可能であり、前記第一の部分と前記第二の部分のいずれか一方に雄ネジが形成された凸部が設けられ、他方に雌ネジが形成された凹部が設けられ、該凸部と該凹部とが係合するものであることを特徴とする、請求項１〜６のいずれか１項に記載の支持具。
【請求項８】
前記被支持物には凹部が設けられ、
前記受部材は、前記軸心に平行な方向を長手とし、前記凹部より大きい断面を有する柱状部材であり、該柱状部材を前記凹部に嵌入することで前記被支持物に固定されることを特徴とする請求項１〜７のいずれか一項に記載の支持具。
【請求項９】
前記被支持物には雌ネジが形成された凹部が設けられ、
前記受部材の先端には前記雌ネジに係合する雄ネジが形成されることを特徴とする請求項１〜７のいずれか一項に記載の支持具。
【請求項１０】
前記受部材の先端には前記被支持物に螺挿される木ネジが形成されることを特徴とする請求項１〜７のいずれか一項に記載の支持具。
【請求項１１】
前記受部材の基底にはネジ回しを含む工具の先端が係合する溝部が形成されることを特徴とする請求項８〜１０のいずれか一項に記載の支持具。
【考案の詳細な説明】
【技術分野】
【０００１】
本考案は、被支持物を支持面上に支持する支持具に関するものである。
【背景技術】
【０００２】
住宅等の建築物の壁材として用いられる石膏ボード等の壁面に棚等の家具、装飾品等の物品を取り付ける際、十分な取り付け強度を得るために、ネジ、釘等の支持具が頻繁に用いられている。しかし、例えばネジを用いる場合、壁面に下穴処理を施してネジ（軸部）が螺挿されるネジ穴を設け、利き腕と異なる腕で物品を壁面上に支えるとともにネジを支え、利き腕でドライバ等の工具を用いてネジをネジ穴に螺挿する。また、釘を用いる場合、利き腕と異なる腕で物品を壁面上に押し当てるとともに釘を支え、利き腕で金槌等の工具を用いて釘を物品を介して壁面に打ち込む。従って、熟練した技術を要する。また、ネジ、釘等の支持具は取り付け強度が過度に大きく、一度取り付けられた物品を壁面から外すのは容易でないことに加え、壁面に取り付け痕等の損傷を残すという問題がある。
【０００３】
これに対して、物品に係合部材を固定し、これを壁面に固定された受部材に係合することで、物品を壁面上に取り付ける方法も提案されている（例えば、特許文献１参照）。これにより、一定の取り付け強度が得られる。しかし、物品に係合部材を固定する際に、また壁面に受部材を固定する際にネジ、釘等の支持具を用いるため、上述と同様の問題が生じることに加えて、係合部材と受部との固定位置、すなわち物品の取り付け位置を変更することができない。さらに、物品と壁面との間に係合部材と受部材が介在するため、物品が壁面に当接せず安定性に欠ける上に、外観上の装飾性を損なうという問題も生じる。
【０００４】
また、物品に複数の凹部を設け、その中に一般に市販されている画鋲の頭部を嵌入することで画鋲を物品に固定し、両腕を用いて物品を支持して壁面に押し当てて物品から突出する画鋲のピンを壁面内に刺し入れることで、物品を壁面上に取り付ける方法も提案されている（例えば、特許文献２参照）。これにより、上述のような問題が幾分か解消されることが期待される。しかし、十分な取り付け強度が得られず、重量のある物品を壁面上に安定して取り付けるには適さない。
【０００５】
また、両面テープ等の粘着剤を用いて物品を壁面上に取り付ける方法も一般的である。これにより、簡便な取り付けが可能となる。しかし、十分な取り付け強度が得られず、重量のある物品を壁面上に安定して取り付けるには適さない。また、一度取り付けられた物品を壁面から外す際、壁面に粘着剤が残る、或いは表面を剥がして壁面を傷つけるという問題が生じる。
【０００６】
上述のような事情により、住宅等の建築物において家具、装飾品等の物品を取り付けることのできる壁面上の場所が制限されるという実情がある。
【先行技術文献】
【特許文献】
【０００７】
【特許文献１】特許第３３７０７０８号公報
【特許文献２】実開昭６４−１５５７２号公報
【考案の概要】
【考案が解決しようとする課題】
【０００８】
本考案は、物品を壁面に十分な強度で簡便に取付けることのできる支持具を提供することを課題とする。
【課題を解決するための手段】
【０００９】
本考案は、被支持物を支持面上に支持する支持具であって、被支持物に挿入される受部材を有する本体部と、前記受部材の基底に前記受部材の軸心を内に含んで三角配置された３点のそれぞれから、前記軸心に対して外向きに凸状に形成された一面を向けて、前記軸心に平行な方向に突出して、前記支持面に刺し入れられる３つのピン部材を有する脚部と、を備える支持具である。
【考案の効果】
【００１０】
本考案の支持具を用いることで、被支持物（物品）を支持面（壁面）に十分な強度で簡便に取付けることが可能となる。
【図面の簡単な説明】
【００１１】
【図１】図１（Ａ）及び（Ｂ）は、それぞれ、支持具の構造を示す正面図及び側面図である。
【図２】図２（Ａ）〜（Ｃ）は、支持具が備える脚部の製造方法を説明するための図である。
【図３】図３（Ａ）〜（Ｃ）は、支持具を用いて、物品を壁面上に支持（固定）及び壁面から取り外す手順を説明するための図である。
【図４】支持具を構成する受部材の変形例（その１）を示す側面図である。
【図５】支持具を構成する受部材の変形例（その２）を示す側面図である。
【考案を実施するための形態】
【００１２】
以下、本考案の一実施形態を、図１〜図３を用いて説明する。
【００１３】
図１（Ａ）及び（Ｂ）に、それぞれ、本実施形態に係る支持具１の構成を示す正面図及び側面図を与える。支持具１は、本体部１０と脚部２０とから構成される（図１（Ｂ）参照）。なお、支持具１の長手（後述する受部材１１の軸心Ｌに平行な方向）をＺ軸方向、これに直交する面内で互いに直交する方向をＸ軸方向及びＹ軸方向とする。
【００１４】
本体部１０は、金属、プラスチック、合成樹脂等から構成される円柱状の受部材１１を有する。受部材１１の太さ（基底面１１ａの直径）は例えば６〜１５ｍｍであり、受部材１１の長さ（Ｚ軸方向の長さ）は例えば５〜３０ｍｍである。なお、物品の加重等、用途に応じて適当な太さ及び長さに定められる。後述するように、受部材１１が、基底面１１ａに対する他端（−Ｚ端）から、装飾品等の物品（被支持物）に設けられた凹部に挿入される。
【００１５】
本体部１０の基底面１１ａには、後述する３つのピン部材２１と干渉しない位置に、ドライバ等の工具の先端が係合する溝部１１ｂが形成されている。本実施形態では、マイナスドライバの使用に対応して、溝部１１ｂは、基底面１１ａの周縁上の一点からその中心に対して対向する一点に向けて直線状に延設されている。この溝部１１ｂにマイナスドライバの先端を係合し回転することで受部材１１を回転し、それにより受部材１１を物品に設けられた凹部に押入することで、容易に、支持具１を物品に固定することができる。
なお、本体部１０は、必ずしも１部材である必要はなく、強度が保てる限りにおいて、２以上の部材を結合したものであってもよい。例えば受部材１１のうち基底面１１ａの部分を分離し、基底面１１ａの部分に雄ネジが形成された凸部を設け、他の部分に雌ネジが形成された凹部を設け、雄ネジを雌ネジに螺挿しても強度を大きく損ねることはない。こうすると、受部材を物品に挿入する作業の際にピン部材によって負傷することがなくなる。
【００１６】
なお、プラスドライバの使用に対応して、溝部１１ｂを十字状に形成することとしてもよい。マイナスドライバを使用する場合と比べてプラスドライバを使用する場合、受部材１１をより安定して回転することができ、それにより受部材１１を物品に設けられた凹部に容易に押入することができる。また、マイナスドライバ、プラスドライバに限らず、六角ドライバ等、任意の工具の使用に対応して溝部１１ｂを形成することとしてよい。
【００１７】
脚部２０は、例えば金属から構成される３つのピン部材２１を有する。３つのピン部材２１は、受部材１１の基底面１１ａ上にその中心（軸心Ｌ）を内に含んで三角配置（本実施形態では軸心Ｌを中心に等三角配置）された３点から軸心Ｌに平行（＋Ｚ方向）に突出する。３つのピン部材２１の長さは例えば８〜１３ｍｍ、その幅は例えば１〜２ｍｍである。
【００１８】
３つのピン部材２１は、軸心Ｌに平行な方向（Ｚ軸方向）を長手とする板状部材であり、その短手を受部材１１の周方向に平行に向けて、すなわち板状部材の一面（これに対する裏面）を軸心Ｌ（径方向）に向けて基底面１１ａ上に配設されている。ここで、３つのピン部材２１のそれぞれについて、板状部材が受部材１１の径方向に凸状に形成されている。これにより、３つのピン部材２１のそれぞれの十分な強度が得られるとともに、３つのピン部材２１の三角配置と併せて壁面への十分な耐荷重が得られる。なお、鉛直方向に限らずＸＹ面内のいずれの方向に対しても十分な耐荷重が得られる。
【００１９】
また、３つのピン部材２１の先端は、細く（短手方向の幅が狭く）、軸心Ｌに対向する一面（内面）側がテーパ状に形成されている（図１（Ｂ）参照）。これにより、突刺部が構成され、後述するように、３つのピン部材２１を壁面内に容易に刺し入れることができる。
【００２０】
なお、本実施形態では、３つのピン部材２１は径方向に膨らむ円弧状に形成されている。これにより、径方向に鋭利な部分を向けないため、人体、他物品等を損傷することがない。また、円弧状に限らず、径方向に角部を向けるＶ字状、楔状等に形成することとしてもよい。
いずれの形状としても、広く用いられている円錐形状のピン部材に比して、壁面の損傷が小さく、耐荷重が大きい。
【００２１】
３つのピン部材２１（脚部２０）は、例えば、図２（Ａ）〜（Ｃ）に示す方法により簡便且つ強固に製造することができる。
【００２２】
まず、図２（Ａ）に示すように、例えば鉄等の金属板を型抜きすることで、接続部２１ａとその周縁からそれぞれ異なる向きに延伸する３つの延伸部２１ｂとを一体的に一面状に形成する。本実施形態では、３つの延伸部２１ｂは接続部２１ａから互いに１２０度異なる方向に延伸するよう形成される。また、それらの先端は楔状に形成される。
【００２３】
次に、図２（Ｂ）に示すように、３つの延伸部２１ｂのそれぞれについて、それらの先端の上面（＋Ｚ面）をテーパ状に形成することで突刺部を構成する。さらに、先端を含む少なくとも一部（本実施形態では先端側のおよそ３分の２）を、例えば先端が円弧状（或いはＶ字状、楔状、その他の形状）に突出する部材を用いて型押しすることで、下面側（−Ｚ方向）に凸状に変形する。
【００２４】
次に、図２（Ｃ）に示すように、３つの延伸部２１ｂのそれぞれについて、接続部２１ａに接続する基端側の一部を残して、その先端側のおよそ６分の５を上面側（＋Ｚ方向）に９０度折曲する。（図２（Ｂ）に示される一点鎖線上で折曲する。）これにより、３つの延伸部２１ｂのすべての先端（突刺部）が上面側（＋Ｚ方向）を向く。また、突刺部は、接続部２１の中心から見て外側に配される。
【００２５】
最後に、図１（Ｂ）に破線を用いて示すように、接続部２１ａとこれに接続する延伸部２１ｂの基端部を受部材１１に埋設（植設）する。これにより、３つの延伸部２１ｂが受部材１１に固定されるとともに、それらの先端（突刺部）が受部材１１の基底面１１ａから軸心Ｌに平行（＋Ｚ方向に）に突出して、脚部２０の３つのピン部材２１が構成される。
【００２６】
本実施形態の支持具１を用いて、装飾品等の物品（被支持物）３１を住宅等の壁面３２上に支持（固定）及び壁面３２から取り外す手順について説明する。
【００２７】
図３（Ａ）に示すように、支持具１の本体部１０を構成する受部材１１を、前もって物品３１の裏面（壁面に対向する一面）３１ａに形成された円形断面を有する凹部３１ｂに挿入する。ここで、先述の通り、マイナスドライバ等の工具を用いて、受部材１１の基底面１１ａが凹部３１ｂが設けられた物品３１の裏面３１ａと面一になるまで、或いは基底面１１ａが物品３１の裏面３１ａより深い位置に位置決めされるまで、受部材１１を黒塗り矢印の方向（＋Ｚ方向）に凹部３１ｂ内に押入する。ここで、凹部３１ｂの断面は受部材１１の断面より若干小さいため、受部材１１を凹部３１ｂに嵌入することで、支持具１の脚部２０を構成する３つのピン部材２１が物品３１の裏面３１ａから突出して、支持具１が物品３１に固定される。
【００２８】
なお、物品３１の荷重に応じて必要数の支持具１を同様に物品３１に固定する。これにより、十分な取り付け強度が得られる。
【００２９】
次に、図３（Ｂ）に示すように、支持具１が物品３１に固定された状態で、例えば両腕で物品３１を把持し、壁面３２上の適当な位置にその裏面３１ａを当接する。これにより、物品３１の裏面３１ａから突出する脚部２０（ピン部材２１）の先端（穿刺部）が壁面３２に突き刺さり、壁面３２上に物品３１が位置決めされる。この状態で物品３１を白抜き矢印の方向（＋Ｚ方向）に壁面３２に押し付けることで、図３（Ｃ）に示すように、脚部２０（ピン部材２１）が壁面３２内に刺し入れられる。これにより、物品３１が壁面３２上に支持（固定）される。
【００３０】
このように、支持具１（受部材１１）は物品３１の凹部３１ｂに嵌入されていること（物品３１内に埋設されていること）で物品３１の裏面３１ａを壁面３２に当接することができる。これにより、十分な安定性が得られるとともに、外観上の装飾性も向上する。
【００３１】
最後に、物品３１を壁面３２から取り外す場合、例えば両腕で物品３１を把持し、壁面３２に対して垂直方向に引く。これにより、壁面３２内に刺し入れられた脚部２０（ピン部材２１）が引き抜かれて、壁面３２から物品３１が取り外される。
【００３２】
なお、壁面３２には、脚部２０（ピン部材２１）の断面と同形状の小さな穴が残る程度で、大きな傷を残さないため、壁面３２の外観を損なうこともない。
【００３３】
以上詳細に説明したように、本実施形態の支持具１によると、物品（被支持物）３１に挿入される受部材１１を有する本体部１０と、壁面３２に刺し入れられる３つのピン部材２１を有する脚部２０と、を備え、３つのピン部材２１は、受部材１１の基底面１１ａにその軸心Ｌを中心に三角配置された３点のそれぞれから、軸心Ｌに対して外向きに凸状に形成された一面を向けて、軸心Ｌに平行な方向に突出する。係る構成の支持具１を用いることで、物品（被支持物）３１を十分な強度で簡便に壁面（支持面）３２上に取付けること、さらに簡便且つ壁面３２に大きな損傷を残すことなく取り外すことが可能となる。
【００３４】
また、支持具１の特に脚部２０の安全な構成より人体、他物品等を損傷することがなく、その簡素な構成より用途が広く、大量生産により低価格で需要者に提供することが可能となる。
【００３５】
なお、荷重量の大きい物品を支持する場合、３に限らず４以上のピン部材２１から脚部２０を構成することとしてもよい。係る場合、複数（４つ）のピン部材２１は受部材１１の基底面１１ａ上に等角配置（四角配置）すればよい。
【００３６】
また、支持具１の本体部１０を構成する受部材１１は円柱状に限らず、物品３１に設けられた凹部３１ｂ内に嵌入することができれば、例えば角柱状等、任意の形状に形成してもよい。
【００３７】
また、本実施形態では、支持具１を用いて物品を垂直壁面に取り付ける場合についてのみ説明したが、垂直壁面に限らず、傾斜壁面、天板等に取り付けることも可能である。また、支持具１を用いることで、物品として棚等の家具、装飾品等の木製品に限らず、家電製品等の金属製品、プラスチック製品等も壁面に取り付けることができる。係る場合、後述するように、支持具１の受部材１１を物品に固定する方法も有効である。
【００３８】
また、図４に示す変形例（その１）のように、支持具１’の本体部１０を構成する受部材１１に木ネジ１１ｃを形成してもよい。係る場合、物品の裏面に受部材１１（木ネジ１１ｃ）の先端を当接し、マイナスドライバ等の工具の先端を溝部１１ｂに係合し、回転して、受部材１１（木ネジ１１ｃ）を物品内に螺挿することで、支持具１’が物品に固定される。これにより、物品の裏面に凹部を形成することなく、より強固に支持具１’を物品に固定することが可能となる。また、受部材１１（木ネジ１１ｃ）を逆向きに回転することで、支持具１’を物品から容易に外すこと、さらに支持具１を交換することができる。
【００３９】
また、本体部１０（受部材１１）を複数の部材から構成することとしてもよい。例えば、図５に示す変形例（その２）では、支持具１”の本体部１０は第１受部材１２と第２受部材１３とから構成される。第１受部材１２は、基底面（＋Ｚ面）から３つのピン部材２１が突出する円筒形状の胴部１２ａと、胴部１２ａの先端面（−Ｚ面）に突設された幾分径の小さい頭部１２ｂと、を有する。ここで、頭部１２ｂの側面には雄ネジが形成されている。第２受部材１３は、第１受部材１２の胴部１２ａとほぼ同様の円筒形状の部材である。第２受部材１３の基底面には表面に雌ネジが形成された凹部１３ａが設けられている。ここで、第１受部材１２の頭部１２ｂに形成された雄ネジは、第２受部材１３の凹部１３ａに形成された雌ネジに係合する。
【００４０】
支持具１”を物品に固定するに先立って、第２受部材１３が、その凹部１３ａを物品の裏面と同じ方向に向けて、物品（被支持物）の裏面（壁面に対向する一面）に形成された円形断面を有する凹部内に嵌入されている。なお、第２受部材１３の先端（−Ｚ端）に木ネジ１１ｃを形成してもよい。これにより、第２受部材１３、すなわち支持具１”がより強固に物品に固定される。
【００４１】
この状態において、第１受部材１２の頭部１２ｂを第２受部材１３の凹部１３ａに入れ、マイナスドライバ等の工具の先端を第１受部材１２の溝部１１ｂに係合し、回転して、頭部１２ｂの雄ネジを第２受部材１３の凹部１３ａ内の雌ネジに螺合する。これにより第１受部材１２が物品の凹部内の第２受部材１３に固定されることで、支持具１”が物品に強固に固定される。また、第１受部材１２を逆向きに回転することで、支持具１”（第１受部材１２）を物品から容易に外すこと、さらに支持具１”（第１受部材１２）を交換することができる。
【産業上の利用可能性】
【００４２】
本考案の支持具は、物品（被支持物）を壁面（支持面）上に支持（固定）するのに適している。
【符号の説明】
【００４３】
１，１’，１”…支持具、１０…本体部、１１…受部材、１１ａ…基底面、１１ｂ…溝部、１１ｃ…木ネジ、１２…第１受部材、１２ａ…胴部、１２ｂ…頭部、１３…第２受部材、１３ａ…凹部、２０…脚部、２１…ピン部材、２１ａ…接続部、２１ｂ…延伸部、３１…物品、３１ａ…裏面、３１ｂ…凹部、３２…壁面。
【図１】
0003184742.tif 000003
【図２】
0003184742.tif 000004
【図３】
0003184742.tif 000005
【図４】
0003184742.tif 000006
【図５】
0003184742.tif 000007